(57)【要約】      （修正有）【課題】組立を簡素化でき、組立コストの軽減と組立時間の短縮ができ、口金を交換可能なＬＥＤ灯具を提供する。【解決手段】ＬＥＤ灯具１０は、口金１１、放熱台１２、ＬＥＤ１３、レンズ１４と押さえリング１５とを備える。口金の一端に電気入力部１１１を有し、他端は第１係合部１１２を有する。放熱台の一端に口金の第１係合部に結合させるための第２係合部１２１を有する。ＬＥＤを放熱台の他端に設ける。レンズを放熱台の他端に結合しＬＥＤを覆い、最後は押さえリングによって、レンズを放熱台に押させておく。【選択図】図１
0003168599.tif 000002
【実用新案登録請求の範囲】
【請求項１】
一端に電気入力部を有し、他端に第１係合部を有する口金と、
一端に前記第１係合部に結合するための第２係合部を有し、且つ該一端から他端までを貫通する少なくとも一つの通し穴を有する放熱台と、
前記口金と電気的に導通するための電源コードを当該通し穴をくぐらせて前記放熱台の該他端に設けたれるＬＥＤと、
前記ＬＥＤを覆うように前記放熱台の該他端に設けられるレンズと、
前記レンズと前記ＬＥＤとを覆う押さえ得るように前記放熱台の該他端に設けられるリングとを備えることを特徴とする、ＬＥＤ灯具。
【請求項２】
前記第１係合部に複数のフックを設け、前記第２係合部に複数の係合穴を設けることにより、前記フックは回転により前記係合穴に係合させ、前記口金と前記放熱台を一体化に結合されることを特徴とする、請求項１記載のＬＥＤ灯具。
【請求項３】
前記電気入力部はらせん形、２つの導電柱、２ピン形などいずれかのタイプを選択できることを特徴とする、請求項１記載のＬＥＤ灯具。
【請求項４】
前記放熱台の表面に複数の肋材を設けられ、前記肋材から前記放熱台にそった端面に複数の穴部を設けられていることを特徴とする、請求項１記載のＬＥＤ灯具。
【請求項５】
前記押さえリングに丸フレームと複数のクリップを有し、前記クリップは放射状にて外向きに前記丸フレームの外部に設けて、前記放熱台の係合に備えることを特徴とする、請求項１記載のＬＥＤ灯具。
【考案の詳細な説明】
【技術分野】
【０００１】
本考案は照明灯具に関し、特に一種の組立が便利、かつ口金交換可能なＬＥＤ灯具に関する。
【背景技術】
【０００２】
発光ダイオード（Ｌｉｇｈｔ  Ｅｍｉｔｔｉｎｇ  Ｄｉｏｄｅ，  ＬＥＤ）は発光チップに正方向電圧を印加し、単色の不連続光線を出射させる。さらに、発光チップ内部の化学組成を変更することにより、発光ダイオードから必要な出射光線の波長が得られる。白光ＬＥＤが開発されてから、ＬＥＤを照明装置に幅広く使用するになった。ＬＥＤの効率が高く、体積が小さく、寿命が長いならびに破損しにくいなど、従来の光源が及ばない長所を有する。一例として、低電圧で高い光エネルギーを発生できるため、８０％以上の電気エネルギーを節約できる。さらに、ＬＥＤは適切な放熱システムと応用環境において、３５，０００〜５０，０００時間の使用寿命を有し、従来の光源に比べて遥かに寿命が長いことのほか、従来の光源のように水銀汚染も発生しない。
【０００３】
ＬＥＤは一種の光源が集中され、発光角度の小さい照明光源である。特殊設計によって、必要な照射角度と範囲の照明灯具として使用できる。家庭用のＬＥＤ電球を例として、一端に従来の電球のらせん形の電気入力部、または各種の電球ソケットの螺設または挿接し、電気を取り込み発光するための正負極の導電柱またはピンタイプの電気入力部を備えられている。ＬＥＤ電球の輝度を向上するため、出力パワーを引き上げなければならない。しかし、パワーを引き上げることは高熱を発生し、熱をすばやく放散させなければ、輝度が低下するばかりでなく、ＬＥＤの使用寿命も短縮される。よって、市販のＬＥＤ電球の多くは熱エネルギーの放散効果を加速化させるための放熱装置が増設されている。
【先行技術文献】
【特許文献】
【０００４】
【特許文献１】中華民国特許公告第Ｍ３８１７４３号公報「ＬＥＤ電球構造の改良」
【考案の概要】
【考案が解決しようとする課題】
【０００５】
中華民国特許公告第Ｍ３８１７４３号ＬＥＤ電球構造の改良（特許文献１）においては、受け台、放熱部とねじ部すべてねじ山を設けられており、各素子は螺合によって接続されている。そのうち一つの部分が壊れたときは、ねじ回転方式により取外し、新しい素子に交換できることが開示されている。しかし、螺合による接続方式はその利便性と長所を有するものの、接続するときには、ゆるめがないように、確実にねじ込まなければならず、組み立て困難と組立時間が掛かるほか、ねじ山を製造するときに、各素子間の緊密は結合効果を注意必要があり、加工の難度が高いである。
【課題を解決するための手段】
【０００６】
前記欠点について、本考案は口金と放熱台との間は係合方式により高速結合を実現できるほか、組み立ての簡素化により組立コストを軽減し、組立時間を短縮でき、かつ口金の交換可能な設計は製造コストを軽減する目的を実現できる一種のＬＥＤ灯具を提供する。
【０００７】
本考案の目的は、口金と放熱台との結合は簡単にでき、口金と放熱台との結合時間が短縮され、組み立ての簡素化により、組立コストの軽減と組立時間の短縮化、口金を様々なタイプに交換できる設計は生産コストの低減を実現できる一種の組立便利のＬＥＤ灯具を提供する。
【０００８】
前述目的を達成するため、本考案のＬＥＤ灯具は主に一端に電気入力部を有し他端に第１係合部を有する口金と、複数の他の面に貫通する通し穴を有し、一端に第１係合部の口金に結合される第２係合部を有する放熱台と、放熱台の他端部に設け電源コードを通し穴にくぐらして口金に接続するＬＥＤと、放熱台の他端部に設けＬＥＤを覆うレンズと、放熱台の他端に設けレンズとＬＥＤを覆う押さえリングとを備える。
【０００９】
さらに、組立便利を図るため、一実施例において、第１係合部に複数のフックを設け、第２係合部に複数の係合穴を設けることにより、当該フックは回転により当該係合穴に係合させ、口金と放熱台を一体化に結合させる。
【００１０】
このほか、応用範囲を広くするため、電気入力部はらせんねじ、２つの導電柱と２ピンのいずれかを選択することにより、設計により電気入力部のタイプを変更できる。
【００１１】
さらに、放熱効果と効率を向上するため、放熱台の表面に複数の肋材が凸設され、肋材は放射状にて外向きに放熱台の表面に平行して設置し、肋材から放熱台に沿った端面は複数の穴部をさらに設け、熱対流により放熱効率を一層に向上できる。
【００１２】
本考案もう一つの目的は、レンズとＬＥＤの保護効果を向上し、交換保守を便利するため、一種のＬＥＤ灯具の押さえリング構造を提供する。
【００１３】
前述目的を達成するため、押さえリングはさらに丸フレームと複数のクリップを備え、クリップは放射状にて外向きに丸フレームの外部表面に設け、クリップを放熱台の穴部に係合した上、レンズを放熱台に押させておき、組立の利便性を大幅に向上できる。
【図面の簡単な説明】
【００１４】
【図１】本考案の好ましい実施例の立体分解図である。
【図２】本考案の好ましい実施例組立後の立体外観図である。
【図３】本考案の好ましい実施例組立後の断面視図である。
【図４】本考案の好ましい実施例の口金の構造概略図である（その１）。
【図５】本考案の好ましい実施例の口金の構造概略図である（その２）。
【図６】本考案の好ましい実施例の口金の構造概略図である（その３）。
【考案を実施するための形態】
【００１５】
以下に図面を参照しながら本考案について詳しく説明する。
【実施例】
【００１６】
図１乃至図３は、本考案の好ましい実施例の立体分解図、組立後の立体分解図と組立後の断面視図である。図示したように、本考案のＬＥＤ灯具１０は口金１１と、放熱台１２と、ＬＥＤ１３と、レンズ１４と押さえリング１５とを備える。
【００１７】
図示すように、口金１１はプラスチックを一体化射出成形によるもので、口金１１の一端部に電球ソケット（図示しない）に導通し、電気を取り込みするための電気入力部１１１を有し、口金１１の他端に第１係合部１１２を有し、第１係合部１１２は口金１１端面に配置する４つのフックであり、当該フックの係合部はそれぞれに外向きに設置される。
【００１８】
放熱台１２は導熱部材（たとえば、アルミ金属または銅金属など）からなり、放熱台１２の一端は口金１１に対応して第２係合部１２１を設けられ、第２係合部１２１は放熱台１２内部に備える４つの係合穴に設置することにより、第１係合部１１２はねじ込みにより、第２係合部１２１に係合することがで、口金１１と放熱台１２を高速に一体化に結合できる。放熱台１２の内部はＬＥＤ１３に対応して収容溝１２２を設けられ、収容溝１２２は少なくとも他の面に貫通された通し穴１２３を備える。このほか、放熱台１２の表面に複数の肋材１２４が凸設され、肋材１２４は放射状にて外向きに放熱台１２の表面に平行して設置されている。肋材１２４から放熱台１２に沿った端面はさらに複数の穴部１２５を設けられ、ＬＥＤ１３使用による熱エネルギーは放熱台１２表面に備える肋材１２４と穴部１２５を通じて熱対流により放熱効率を向上できる。
【００１９】
ＬＥＤ１３を放熱台１２他端の収容溝１２２の一表面に設け、ＬＥＤ１３の電源コードは通し穴１２３をくぐらして口金１１と電気導通させる。
【００２０】
レンズ１４は透光性物質から円盤状の構造体に仕上げ、レンズ１４は放熱台１２の他端に備える収容溝１２２に結合しＬＥＤ１３を覆う。レンズ１４表面の光学構造を利用し、ＬＥＤ１３より出射される光線を収束または拡散させる。
【００２１】
押さえリング１５は放熱台１２の他端部に設けられている。図示のように、押さえリング１５はさらに丸フレーム１５１と複数のクリップ１５２を備え、クリップ１５２は放射状にて外向きに丸フレーム１５１の外部表面に設け、クリップ１５２を放熱台１２の穴１２５に係合した上、レンズ１４を放熱台１２に押させておき、組立の利便性を大幅に向上できる。
【００２２】
ここで注意したいことは、図４ないし６に示す本考案の好ましい実施例による様々なタイプの口金構造概略図のように、本考案のＬＥＤ灯具１０の応用範囲を拡大することができる。様々なタイプの口金１１はそれぞれ異なる電気入力部１１１を有し、電気入力部１１１はらせん形（Ｅ１１、Ｅ１４、Ｅ１７、Ｅ２６またはＥ２７など）、２つの導電柱（ＧＵ１０−３またはＧＵ１０−５など）と２ピン（ＧＵ５．３）などいずれかを選択し、設計の需要により電気入力部１１１のタイプを改変できる。
【００２３】
以上で述べたものは、本考案の実施例にすぎず、本考案実施の範囲を限定するものではない。その他、例えば放熱台の材質、寸法または形状、口金の材質または電気入力部などの変更方式は、すべて本案の範疇の中にある。よって、この技術に習熟して等価あるいは軽度の変化のものを作った場合も、本発明の精神と範囲の下の均等変化と修飾を離れておらず、すべて本発明の特許範囲内に含まれる。
【符号の説明】
【００２４】
１０・・・・・ＬＥＤ灯具
１１・・・・・口金
１１１・・・・電気入力部
１１２・・・・第１係合部
１２・・・・・放熱台
１２１・・・・第２係合部
１２２・・・・収容溝
１２３・・・・通し穴
１２４・・・・肋材
１２５・・・・穴部
１３・・・・・発光ダイオード
１４・・・・・レンズ
１５・・・・・押さえリング
１５１・・・・丸フレーム
１５２・・・・クリップ
【図１】
0003168599.tif 000003
【図２】
0003168599.tif 000004
【図３】
0003168599.tif 000005
【図４】
0003168599.tif 000006
【図５】
0003168599.tif 000007
【図６】
0003168599.tif 000008
【手続補正書】
【提出日】平成23年4月7日(2011.4.7)
【手続補正１】
【補正対象書類名】実用新案登録請求の範囲
【補正対象項目名】全文
【補正方法】変更
【補正の内容】
【実用新案登録請求の範囲】
【請求項１】
一端に電気入力部を有し、他端に第１係合部を有する口金と、
一端に前記第１係合部に結合するための第２係合部を有し、且つ該一端から他端までを貫通する少なくとも一つの通し穴を有する放熱台と、
前記口金と電気的に導通するための電源コードを当該通し穴をくぐらせて前記放熱台の該他端に設けられるＬＥＤと、
前記ＬＥＤを覆うように前記放熱台の該他端に設けられるレンズと、
前記レンズを押さえ得るように前記放熱台の該他端に設けられるリングとを備えることを特徴とする、ＬＥＤ灯具。
【請求項２】
前記第１係合部に複数のフックを設け、前記第２係合部に複数の係合穴を設けることにより、前記フックは回転により前記係合穴に係合させ、前記口金と前記放熱台を一体化に結合されることを特徴とする、請求項１記載のＬＥＤ灯具。
【請求項３】
前記放熱台の表面に複数の肋材が設けられ、前記肋材から前記放熱台に沿った端面に複数の穴部が設けられていることを特徴とする、請求項１記載のＬＥＤ灯具。
【請求項４】
前記押さえリングに丸フレームと複数のクリップを有し、前記クリップは放射状にて外向きに前記丸フレームの外部に設けて、前記放熱台の係合に備えることを特徴とする、請求項１記載のＬＥＤ灯具。
【手続補正２】
【補正対象書類名】明細書
【補正対象項目名】０００８
【補正方法】変更
【補正の内容】
【０００８】
前述した目的を達成するため、本考案のＬＥＤ灯具は主に一端に電気入力部を有し、他端に第１係合部を有する口金と、複数の他の面に貫通する通し穴を有し、一端に第１係合部の口金に結合するための第２係合部を有し、且つ該一端から他端までを貫通する少なくとも一つの通し穴を有する放熱台と、放熱台の他端部に設け電源コードを通し穴にくぐらして口金に接続するＬＥＤと、放熱台の他端部に設けＬＥＤを覆うレンズと、放熱台の他端に設けレンズを覆う押さえリングとを備える。
【手続補正３】
【補正対象書類名】明細書
【補正対象項目名】００１０
【補正方法】変更
【補正の内容】
【００１０】
このほか、応用範囲を広くするため、電気入力部はらせんねじ、２つの導電柱と２ピンのいずれかひとつを選択して適用することができる。
【手続補正４】
【補正対象書類名】明細書
【補正対象項目名】００１１
【補正方法】変更
【補正の内容】
【００１１】
さらに、放熱効果と効率を向上するため、放熱台の表面に複数の肋材を凸設し、肋材は放射状にて外向きに放熱台の表面に平行して設置し、肋材から放熱台に沿った端面は複数の穴部をさらに設けることで、熱対流により放熱効率を一層に向上できる。
【手続補正５】
【補正対象書類名】明細書
【補正対象項目名】００１３
【補正方法】変更
【補正の内容】
【００１３】
前述目的を達成するため、押さえリングはさらに丸フレームと複数のクリップを備え、クリップは丸フレームの外部表面に外向きで放射状に設け、クリップを放熱台の穴部に係合させることで、レンズを放熱台に取り付けできるから、組立の利便性を大幅に向上できる。
【手続補正６】
【補正対象書類名】明細書
【補正対象項目名】００２２
【補正方法】変更
【補正の内容】
【００２２】
ここで注意したいことは、本考案は図４ないし６に示す本考案の好ましい実施例による様々なタイプの口金構造に適用して、本考案のＬＥＤ灯具１０の応用範囲を拡大することができる。様々なタイプの口金１１はそれぞれ異なる電気入力部１１１を有する。電気入力部１１１はらせん形（Ｅ１１、Ｅ１４、Ｅ１７、Ｅ２６またはＥ２７など）、２つの導電柱（ＧＵ１０−３またはＧＵ１０−５など）と２ピン（ＧＵ５．３）などのいずれかひとつを設計の需要に応じて適宜選択して適用できる。